(57)【特許請求の範囲】
【請求項１】
画像を表示する表示画面を前面に有する表示パネルと、
前記表示パネルの周囲を取り巻き、前記表示画面とともに前面の外観を形成する前枠と、
前記前枠を構成する左右の枠体の内側に取り付けられて該左右の枠体それぞれに沿って上下に延在し前記表示パネルが固定される一対の固定金具と、
第１面が前記表示パネル背面に面して第２面に複数の電子部品が搭載され、該第１面の左右の縁が前記一対の固定金具に接して配置された支持板と、
前記支持板の第２面を、該第２面に搭載された複数の電子部品とともに覆い、背面の外観を形成する後カバーとを備え、
前記固定金具が、前記支持板との相対的なスライドにより、該支持板を解除自在に係止する固定金具側係止部を備えるとともに、
前記支持板が、前記固定金具との相対的なスライドにより、該固定金具に解除自在に係止される支持板側係止部を備え、
前記一対の固定金具のうちの少なくとも一方の取付金具が、該固定金具下端に当該電子機器の背面側に折り曲げられて立設し、ネジ止め用の取付穴が形成された締結部を有し、
前記支持板が、前記固定金具に対し相対的に下方にスライドされたときに該固定金具に係止されるものであって、下端が前記第１面側に折り曲げられ該支持板が前記固定金具に係止された状態で前記締結部に接し該締結部にネジ止めされてなる支持板下面を有することを特徴とする電子機器。
【請求項２】
前記支持板が、前記支持板下面に前枠係止穴を有し、
前記前枠が、前記支持板下面に向かって突出し前記支持板が前記固定金具への係止のために該固定金具に対し相対的に下方にスライドしてきたときに前記支持板下面の前記前枠係止穴に入り込む係止突起を有することを特徴とする請求項１記載の電子機器。
【発明の詳細な説明】
【技術分野】
【０００１】
本件は、表示画面を有する表示パネルと、その表示パネルの背面側に、複数の電子部品が搭載された支持板が広がる電子機器に関する。
【背景技術】
【０００２】
パーソナルコンピュータ（以下、「ＰＣ」と略記する）を例に挙げると、ＰＣは、従来、ＣＰＵ等からなる演算回路を収容した本体装置と画像を表示する表示画面を有する表示装置とを別体の装置として構成し、それらの本体装置と表示装置をケーブルで接続する構成が採用されてきたが、液晶等を用いた薄型の表示パネルが登場してきたことから、１つには、表示装置を本体装置に開閉自在にヒンジ結合した構造の、いわゆるノート型ＰＣと呼ばれるタイプのＰＣが登場し、また、別のタイプとして、ＣＰＵ等からなる演算回路を表示パネルの背面側に配置することにより従来の表示装置と本体装置を１つの筐体内に収容した、いわゆる一体型ＰＣが登場してきている。
【０００３】
例えば、この一体型ＰＣのような、表示パネルとその背面側に複数の電子部品が搭載されたタイプの電子機器の場合に、如何にして組立ての容易さや修理のときの分解の容易さを実現するかが問題となる。
【０００４】
液晶型の表示パネルは、従来より左右の側面に固定金具をネジ止めする構造が採用されており（特許文献１,２参照）、この表示パネルの取付構造を踏襲できることも重要である。
【特許文献１】特開平１０−２８２８９９号公報
【特許文献２】特開２００２−１６２６１８号公報
【発明の開示】
【発明が解決しようとする課題】
【０００５】
上記の事情に鑑み、本件開示の電子機器の課題は、表示パネルと、その背面に複数の電子部品が搭載されるタイプの電子機器において、組立て、分解が容易な構造を有する電子機器を提供することにある。
【課題を解決するための手段】
【０００６】
本件開示の電子機器は、
画像を表示する表示画面を前面に有する表示パネルと、
表示パネルの周囲を取り巻き、表示画面とともに前面の外観を形成する前枠と、
前枠を構成する左右の枠体の内側に取り付けられて左右の枠体それぞれに沿って上下に延在し表示パネルが固定される一対の固定金具と、
第１面が表示パネル背面に面して第２面に複数の電子部品が搭載され、第１面の左右の縁が上記一対の固定金具に接して配置された支持板と、
支持板の第２面を、第２面に搭載された複数の電子部品とともに覆い、背面の外観を形成する後カバーとを備え、
上記固定金具が、支持板との相対的なスライドにより、支持板を解除自在に係止する取付金具側係止部を備えるとともに、
上記支持板が、固定金具との相対的なスライドにより、固定金具に解除自在に係止される支持板側係止部を備えた電子機器である。
【発明の効果】
【０００７】
本件開示の電子機器は、表示パネルの左右の縁に沿って延びる一対の固定金具を利用するものであり、また複数の電子部品を支持板に搭載させ、その支持板を、固定金具に接するように表示パネルの背面に配置してスライドさせることにより、その支持板が固定金具に係止される。本件開示の電子機器の場合、このような簡単な構造を備え、容易に組立て、分解することができる。
【発明を実施するための最良の形態】
【０００８】
以下、本件開示の発明の実施形態について説明する。
（全体構成）
図１は、パーソナルコンピュータ（以下、「ＰＣ」と略記する）の外観斜視図、図２は、図１に示すＰＣの背面側を見た外観斜視図である。
【０００９】
図１、図２に示すＰＣ１０は、表示画面２１ａを有する表示パネル２１を保持したＰＣ本体２０を備えており、このＰＣ本体２０の前面の外形は、表示画面２１ａと、その表示画面２１ａの周りを取り巻く前枠２２とで形成されている。この前枠２２のの下部には、シルク印刷によるアイコン２２ａが表示されている。このアイコン２２ａは、電源ボタンを表わしており、このアイコン２２ａに指を重ねると、このＰＣ本体２０に電源が投入される。
【００１０】
この図１、図２に示すＰＣ１０は、表示画面２１ａを有する表示パネル２１を保持するＰＣ本体２０の筐体と同じ筐体内の、表示パネル２１の背面側に、ＣＰＵ等からなる演算回路が搭載されている。
【００１１】
したがって、ＰＣの通常の構成としては、キーボードを別途用意することで、ＰＣとしてのひととおりの機能を満足する。本件開示の実施形態についてはキーボードとの関連はないため、ここでのキーボードの図示および説明は省略する。
【００１２】
また、このＰＣ本体２０の筐体背面は、吸気口２３と排気口２４が形成された後カバー２９で覆われている。吸気口２３は、ＰＣ本体２０の筐体内に外部の空気を取り入れるためのものであり、排気口２４は、筐体内で熱せられた空気を排気するためのものである。
【００１３】
さらに、このＰＣ本体２０の筐体背面には、電源接続部やコネクタ接続部などが配置されているが、ここでの説明は省略する。
【００１４】
さらに、この図１、図２に示すＰＣ１０は、回転台９０と、ＰＣ本体２０の背面を支持する支持機構９１を備えている。回転台９０は、ＰＣ本体２０の表示画面２１ａの向きを変更するための台であり、支持機構９１は、ＰＣ本体２０をユーザの所望の高さ位置に支持するための機構である。
【００１５】
（吸気口構造）
図３は、ＰＣ本体背面の吸気口の部分を示した断面斜視図である。
【００１６】
この吸気口２３には、後カバー２９の一部からなる、横方向に並んだ複数の柱２９１を有し、この吸気口２３は、それらの柱２９１の間に形成された横に並ぶ複数の穴２３１で形成されている。
【００１７】
この吸気口２３の内側には、吸気室２５が形成されている。この吸気室２５は、後カバー２９の内壁面２９２と、その内壁面から立設した壁２９３と、シールド板２６とで形成されている。この吸気室２５の縦方向の寸法ｈは、吸気口２３の縦方向の寸法ｄの数倍広く、横方向の寸法は、図２に示す、横長の吸気口２３の横寸法とほぼ同一である。このように、この吸気室２５は、吸気口２３からの吸気流入方向に交わる断面の寸法が吸気口２３の寸法よりも広く形成されている。
【００１８】
また、シールド板２６は、内部の電子部品を覆って電気的にシールドする役割りを担っており、さらに、このシールド板２６には、多数の穴２６１が形成されている。これらの多数の穴２６１は、吸気室２５を形成しているシールド板２６の面、すなわち、吸気室２５を形成する面のうちの、吸気口２３が形成された側の筐体の内面２９２とは反対側の面における、吸気口２３の寸法よりも広い領域に分散配置されており、これらの複数の穴２６１により、吸気室２５の空気を、筐体内のさらに奥に取り込むための空気吸入口２６２が形成されている。
【００１９】
このように、本実施形態のＰＣでは、吸気口２３から吸入された空気は吸気室２５で一旦減速され、この減速されることによってその吸気室２５内に塵埃を残し、空気取入口２６２を通過して筐体内のさらに奥に取り込まれる。すなわち、本実施形態では、このような簡易な構造で、塵埃除去能力の高い構造を有するＰＣが提供される。
【００２０】
図４は、図１，図２に示すＰＣ本体２０の、背面カバーを取り外してその内部の構成を示した図である。
【００２１】
ここには、ファン２７と、放熱フィン２８が示されている。このファン２７は、筐体内の空気を強制的に排気するためのものである。このファン２７が回転すると、図２，図３に示す吸気口２３から空気が取り込まれ、筐体内部を通ってファン２７に達し、このファン２７から吹き出された空気は、放熱フィン２８の隙間を通り、排気口２４（図２参照）から排気される。筐体内部を通過する空気はファン２７に達する前であっても筐体内部の様々な電子部品から熱を奪って熱められるが、発熱電子部品である図示しないＣＰＵに放熱フィン２８が接していて、ファン２７により送り出された空気は、ＣＰＵによって熱せられた放熱フィン２８から熱を奪った後、排気口２４から排気される。
【００２２】
また、この図４には、上述のＣＰＵが搭載され、この図４の右側の広い領域を占める、メイン基板３０、そのメイン基板３０上に置かれたハードディスクドライブ（ＨＤＤ）ユニット４０、メイン基板３０とコネクタ（後述する）で結合された光ディスクユニット５０が示されている。ＨＤＤユニット４０および光ディスクユニット５０の詳細については後述する。
【００２３】
またここには、この図４の右側を上下に延びる取付金具６３が備えられている。この取付金具６３についても後述する。
（ＨＤＤ搭載構造）
図５は、単体のハードディスクドライブ（ＨＤＤ）と、そのＨＤＤを保存するホルダを示した斜視図である。
【００２４】
ＨＤＤ４１は、平面視で略矩形の板形状を有し、前端面にＨＤＤコネクタ４１１が配備されている。このＨＤＤコネクタ４１１は、このＨＤＤ４１の、ＨＤＤコネクタ４１１が配置された前端面を先端にして進行させたときに相手コネクタと組み合うコネクタである。また、このＨＤＤ４１には、その両側面に２つずつ係合穴４１２が形成されている。この図５には、両側面の係合穴４１２のうちの手前側の一方の側面の係合穴４１２が示されている。
【００２５】
また、ホルダ４２は、２つのホルダ部材４２１,４２２で構成されている。これら２つのホルダ部材４１２,４２２は、互いに協同して、ＨＤＤ４１が配置される開口４２ａを形成しており、それら２つのホルダ部材４２１,４２２のうちの一方が他方に対し横方向（矢印Ｘ−Ｘ方向）にスライド自在であって、そのスライドにより開口４２ａの横幅が拡縮される。また、ＨＤＤ４１が開口４２ａに配置された状態でその開口４２ａの横幅を狭めることにより、そのＨＤＤ４１の両側面がこのホルダ４２ａに挟まれて保持される。
【００２６】
ここで、ホルダ４２を構成する２つのホルダ部材４２１,４２２それぞれの、開口４２ａを区画している側面には、ピンが２つずつ設けられている。この図４には、一方のホルダ部材４２２の側面に設けられ２つのピン４２２ａが示されている。
【００２７】
図６は、ホルダの開口にＨＤＤを配置した状態を示した図である。
【００２８】
この図６に示す状態では、ホルダ４２の開口４２ａは、その横幅が開いた状態にある。
【００２９】
図６に示すように、ＨＤＤ４１がホルダ４２の開口４２ａに配置されて、さらにその開口４２ａの横幅が狭められると、ホルダ４２の両側面のピン（ピン４２２ａ等）がＨＤＤ４１の両側面の係合穴４１２（図５参照）に入り込み、これにより、ホルダ４２に対するＨＤＤ４１の位置決めがなされるとともに、ＨＤＤ４１がホルダ４２に確実に保持される。
【００３０】
２つのホルダ部材４２１，４２２のうちの一方のホルダ部材４２１には、クリック用の２つの突起４２１ａが形成され、もう一方のホルダ部材４２２には、それら２つの突起４２１ａがそれぞれ入り込む２つの穴４２２ａが形成されている。
【００３１】
図７，図８は、ホルダの２つの突起および２つの穴のうちの一方の組合せの部分を示す図である。図７は、開口の横幅を広げた状態における、突起と穴の位置関係を示しており、図７は、開口の横幅を狭めた状態における、突起と穴の位置関係を示している。
【００３２】
開口４２ａの横幅を広げた状態においては、図７に示すように、突起４２１ａはホルダ部材４２２の外側に位置している。開口４２ａの横幅を狭めるべく、２つのホルダ部材４２１，４２２の一方を他方に対しスライドさせると、図８に示すように、突起４２１が穴４２２ａの中に入り込む。このように、ホルダ部材４２１，４２２をスライドさせて開口４２ａの横幅を広げ、又は狭めるときは、突起４２ａとホルダ部材４２２との干渉によるクリックを伴ってスライドし、ある程度の力を加えないと広げた状態と狭めた状態との間でスライドしない構成となっている。
【００３３】
また、２つのホルダ部材４２１，４２２には、それぞれ２箇所にネジ止め用の取付穴４２１ｂ，４２２ｂが設けられており、それらの取付穴４２１ｂ,４２２ｂは、開口４２ａの横幅を狭めた状態で重なって、このホルダ４２の取付穴４２ｂを構成し、このホルダ４２が、以下に説明する固定金具にネジ止めされる構造となっている。
【００３４】
図９は、固定金具の斜視図である。
【００３５】
この固定金具４３は、ＨＤＤ４１を保持したホルダ４２を取り付けるためのものであり、メイン基板３０（図４参照）上に固定される。
【００３６】
この固定金具４３は、その中央に、ホルダ４２に保持されたＨＤＤ４１が配置される開口４３ａを有し、その開口４３ａの両側には、ホルダ４２を案内するための案内レール４３１が形成されている。
【００３７】
また、この固定金具４３には、案内レール４３１から開口４３ａに入り込むように折り曲げられて形成された、この固定金具４３をメイン基板上に載せるための台部４３２が設けられており、さらに、この固定金具４３には、２ヶ所に固定舌片４３３が設けられている。これらの固定舌片４３３は、メイン基板側に折れ曲がり、さらにその先端部が逆向きに折れ曲がった形状を有し、メイン基板に接する先端部にはネジ止め用の固定穴４３３ａが形成されている。さらに、この固定金具４３には、ホルダ４２をネジ止めするためのネジ穴４３４が形成されている。
【００３８】
図１０は、図９に示す固定金具がメイン基板上に固定された状態を示す図である。
【００３９】
メイン基板３０上には、ＣＰＵを始めとする多数の電子部品が搭載されているが、ここでの説明に必要な部品として、メイン基板３０上には、ＨＤＤコネクタ４１１（図５参照）と組み合う基板コネクタ３１が搭載されている。この基板コネクタ３１は、固定金具４３により形成されている開口４３ａの前端に位置し、ＨＤＤコネクタ４１１と組み合う嵌合面３１１を横向きにして、その嵌合面３１１をその開口４３ａの後端側に向けた状態にある。
【００４０】
さらに、固定金具４３の開口４３ａには、絶縁シート４４１が配置され、メイン基板３０上に両面粘着テープ（図示せず）で固定されている。
【００４１】
この開口４３ａには、メイン基板３０とぎりぎり接しない高さにＨＤＤ４１が置かれるが、メイン基板３０上にはプリント配線（図示せず）が存在するため、ここに絶縁シート４４１を貼り付けることにより、そのプリント配線とＨＤＤ４１の筐体との接触を確実に防止している。
【００４２】
図１１は、ＨＤＤを保持したホルダが固定金具上に置かれた状態を示す図である。
【００４３】
ホルダ４２は、ＨＤＤ４１を保持したまま、固定金具４３の上に置かれる。図１１は、この置かれた直後の状態を示している。ホルダ４２は、固定金具４３の上に置かれた後、案内レール４３１（図１０参照）に案内されながら前方（矢印Ｙ方向）にスライドされる。このスライドにより、ＨＤＤコネクタ４１１がメイン基板３０上に固定されている基板コネクタ３１（図１０参照）に組み合う。
【００４４】
ここでは、ホルダ４２は案内レール４３１に案内されてスライドされることから、ＨＤＤコネクタ４１１と基板コネクタ３１は互いに位置決めされた状態で向き合い、確実に組み合わされる。
【００４５】
また、固定金具４３に開口４３ａが設けられており、またホルダ４２も開口４２ａを有し、ＨＤＤ４１は、メイン基板３０に接しないぎりぎりの高さに配置され、ＰＣ本体２０の薄型化、小型化に寄与している。
【００４６】
ホルダ４２を、図１１の状態から前方（矢印Ｙ方向）にスライドさせると、ホルダの取付穴４２ｂが固定金具４３のネジ穴４３４と重なり、ホルダ４２はその状態で、図４に示すように、ネジ４４２により固定金具４３にネジ止めされる。
（支持板取付構造）
図１２は、背面カバーを外した状態のＰＣ本体の背面を斜め下から見て示した斜視図、図１３は、図１２に示す状態からいくつかの部品を取り外して示した、図１２と同様の斜視図、図１４は支持板を表示パネル背面から取り外して、支持板と表示パネル（背面）を並べて示した斜視図である。
【００４７】
図１２には、図４と同様、ファン２７、放熱フィン２８、メイン基板３０、ＨＤＤユニット４０、および光ディスクユニット５０などが示されており、これらは、図１に示す表示画面２１ａを有する表示パネル２１（図１４には表示パネル２１の背面２１ｂが示されている）の背面２１ｂに面して広がる金属製の支持板６０上に配置されている。
【００４８】
図１３，図１４では、光ディスクユニット５０が取り外されており、支持板６０が広がっているのが分かる。この支持板６０上の、光ディスクユニット５０を取り外した部分に示されている穴や突起は、光ディスクユニットの取付け、取外し時の案内や支持板６０への係止等を担うものであり、詳細は後述する。
【００４９】
また、この支持板６０上の、光ディスクユニット５０を取り外した部分を除く部分には、メイン基板３０が広がっている。図１３，図１４ではファン２７や放熱フィン２８も取り外されており、メイン基板３０に形成された、ファン２７に空気を吸引するための穴３０１が示されており、また、放熱フィン２８により放熱される対象のＣＰＵ３０２が示されている。また、メイン基板３０には、光ディスクユニット側に、相手コネクタと組み合う嵌合面３０３ａを光ディスクユニット側に向けたコネクタ３０３が固定されている。
【００５０】
また、２つの支持板６０は、表示パネル２１の背面に広がる部分のほか、下端側（図１２,図１３の手前側）に、このＰＣ本体背面側に折り曲げられて形成された支持板下面６１を有し、また上端側（図１２,図１３の奥側）に、このＰＣ本体の背面側に折り曲げられて形成された支持板上面６２を有する。
【００５１】
また、表示パネル２１の両側面にはネジ穴（図示せず）が形成されており、左右一対の固定金具７０が表示パネル２１の両側面にネジで固定され、表示パネル２１は、その左右に固定金具７０がネジ止めされた状態で、前枠２２に嵌め込まれている。
【００５２】
また、支持板下面６１には、前枠係合穴６１１が形成されており、また、前枠２２には、支持板下面６１に向かって突出しその支持板下面６１に形成された前枠係止穴６１１に入り込む係止突起２２２が形成されている。
【００５３】
表示パネル２１の左右に固定される一対の固定金具７０は、前枠２２を構成する左右の枠体２２１のそれぞれに沿って上下に延在し、支持板６０は、その一対の固定金具７０に乗せられて下方（図１２〜図１４の手前側）にスライドされる。ここで、一対の固定金具７０のそれぞれには、その下端に、このＰＣ本体の背面側に折り曲げられて立設し、ネジ止め用の取付穴７１１が形成された締結部７１を有し、支持板下面６１にも取付穴６１２が形成されている。支持板６０が一対の固定金具７０の上に乗って下にスライドすると、固定金具７０の締結部７１に形成された取付穴７１１と支持板下面６１に形成された取付穴６１２とが重なり、支持板６０は、これらの取付穴７１１，６１２が利用されて固定金具７０に固定される。
【００５４】
尚、ここでは、一対の固定金具７０の双方に締結部７１を設け、支持板６０を、２本のネジ７１８（図１２参照）で固定しているが、固定金具７０と支持板６０は以下に説明する係止機構により係止されるため、ネジ止めは左右のいずれか一方であってもよい。
【００５５】
図１５は、一方の固定金具の部分を示した斜視図、図１６は、一方の固定金具の下端部分を示した平面図である。
【００５６】
図１３,図１４にも示されているように、固定金具７０には、支持板６０を支持する側に突出し、中央が広がった形状の係止突起７２を有する。
【００５７】
この係止突起７２は、支持板６０との相対的なスライドにより、その支持板６０を解除自在に係止するものである。
【００５８】
図１７は、固定金具の上に支持板が乗ったときの、係止部の部分を示す図、図１８は、図１７に示す状態から支持板が下にスライドした状態を示す図である。
【００５９】
支持板６０の左右の、固定金具７０に設けられた係止突起７２に対応する部分には、下側が幅広で上側が狭幅な係止穴６３が形成されている。支持板６０を固定金具７０に乗せるにあたっては、係止穴６３の幅広の部分に固定金具７０の係止突起７２が一致するように乗せる。こうすると、係止突起７２は、係止穴６３を通って支持板６０の反対側の面（支持板６０の、メイン基板３０等が搭載された側の面）よりも上に突出する。その状態で、支持板６０を固定金具７０に対し相対的に下方にスライドさせると、図１８に示すように、固定金具７０の係止突起７２が支持板６０の係止穴６２の狭幅の部分と重なり、支持板６０が固定金具７０に係止されて、支持板６０を持ち上げても固定金具７０から外れない状態となる。
【００６０】
図１９,図２０は、固定金具の締結部と支持板下面との位置関係を示す図であり、図１９は支持板を固定金具に乗せたときの状態を示す図、図２０は、支持板を固定金具に対し下方にスライドさせた後の状態を示す図である。
【００６１】
支持板下面６１は、スライド前は、図１９に示すように、固定金具７０の締結部７１から離れており、支持板６０を下方にスライドさせると、図１８に示すように支持板６０が固定金具７０に係止されるとともに、図２０に示すように、支持板下面６１が固定金具７０の締結部７１に突き当たる。
【００６２】
また、このスライドにより、支持板下面６１に設けられた前枠係止穴６１１（図１４参照）に、前枠２２に設けられた係止突起２２２が入り込む。
【００６３】
この状態で、図１４に示す、締結部７１の取付穴７１１と支持板下面６１の取付穴６１２とが重なり、さらに取付部材６３に設けられたネジ穴（図示せず）も重なり、それらの穴が利用されて、図１２に示すように左右１本ずつのネジ７１８でネジ止めされる。
【００６４】
このように、本実施形態のＰＣ本体では、表示パネルの左右の縁に沿って延びる一対の固定金具７０を利用し、多数の電子部品を搭載した支持板６０を、固定金具７０上に置くことにより表示パネル２１の背面に配置してスライドさせることにより、その支持板６０が固定金具７０に係止される。本実施形態のＰＣ本体の場合、このような簡単な構造を備え、容易に組立て、分解することができる。  
（アンテナ取付構造）
図２１は、ＰＣ本体の背面カバーを外し、その背面を斜め上から見て示した斜視図、図２２は、図２１の部分拡大図である。
【００６５】
図２１にも、メイン基板３０、ＨＤＤユニット４０、ファン２７、放熱フィン２８、光ディスクユニット５０、支持板６０などが現れている。
【００６６】
支持板上面６２（図１３を合わせて参照）には、支持板上面６２に沿って左右に延在する樹脂製のフレーム８０がネジ８１で固定されており、その長手方向（左右方向）の３箇所にアンテナ配置部８２が形成されている。それら３箇所のアンテナ配置部８２のうちの２箇所のアンテナ配置部にはアンテナ８９が配置されている。残りの１箇所のアンテナ配置部８２は、予備のアンテナ配置部であり、ここにはアンテナは配置されておらず空のままになっている。
【００６７】
ここで、フレーム８０には、係合穴８３が形成されており、前枠２２には、その係合穴８３に入り込んで前枠２２をフレーム８０に固定する係止爪２２３が形成されている。上述したようにして支持板６０が固定金具７０の上に乗せられて下方にスライドすると、この係止爪２２３が係止穴８３に入り込んで前枠２２がフレーム８０に固定されることによって、アンテナ８９がアンテナ配置部８２に固定される。詳細は以下において説明する。
【００６８】
図２３は、３箇所のアンテナ配置部のうちの１箇所を示した斜視図である。ここでは、前枠は取り外され、かつアンテナ配置部からアンテナが取り外された状態を示している。
【００６９】
フレーム８０は、このアンテナ配置部８２において、支持板６０の前面（表示パネル２１の背面２１ｂ（図１４,図１５参照）側を向いた面）の上縁の一部を露出させる開口８２１を有する。この開口８２１には、支持板前面の一部からなる露出部分６０３と、その露出部分６０３に続く、支持板上面６２の一部からなる露出部分６２３とで形成された、アンテナ接地面６００が露出している。
【００７０】
アンテナ８９は、汎用品であって、接地される基部８９１と電波を送受信する送受信部８９２とを有し、アンテナ配置部８２には、アンテナ接地面６００にアンテナ８９の基部８９１が接触する姿勢に配置される。また、このアンテナ配置部８２には、アンテナ配置部８２にアンテナ８９が配置されたときに、アンテナ８９の送受信部８９２が接する接触壁８２２が形成されている。この接触壁８２２は、開口８２１の、支持板上面６２の露出部分６２３を区画し、この支持板上面６２から垂直に立ち上がる、フレーム８０に形成された壁である。
【００７１】
すなわち、アンテナ８９の基部８９１は、支持板６０の前面の露出部分６０３と支持板上面６２の露出部分６２３との双方に接する折り曲げられた形状を有するとともに、アンテナ８９の送受信部８９２が接触壁８２２に宛がわれるように基部８９１からさらに折り曲げられて立ち上がった形状を有している。
【００７２】
また、アンテナ配置部８３には、アンテナ８９の基部８９１を支持板６０のアンテナ接地面６００との間に挟む張出片８２３を有する。
【００７３】
図２４は、アンテナ配置部にアンテナが配置された状態を示した斜視図である。
【００７４】
アンテナ８９は、基部８９１が、アンテナ接地面６００（図２３参照）に接し、かつ張出片８２３によって押さえられるように配置されている。
【００７５】
図２５は、アンテナが配置された、もう１箇所のアンテナ配置部を示した斜視図である。
【００７６】
張出片８２３の形状等、図２４に示すアンテナ配置部とは若干異なる部分があるが、基本的な構成は、図２４に示すアンテナ配置部と同一である。
【００７７】
図２６，図２７は、アンテナが配置されたアンテナ配置部と前枠を示す図であり、図２６は前枠２２の取り付け前の状態、図２７は前枠２２を取り付けた後の状態を示している。アンテナ配置部８２の両側には、上述した係合穴８３が形成されており、その係合穴８３には前枠２２の係止爪２２３が入り込んで前枠２２がフレーム８０に固定される。
【００７８】
このとき、アンテナ配置部８２を構成する張出片８２３を、前枠２２の、その張出片８２３に対面する部分である押圧部２２４が押圧し、これにより、張出片８２３がアンテナ８９の基部８９１を支持板６０のアンテナ接地面６００に押し当て、アンテナ８９の基部８９１がアンテナ接地面６００に確実に接触して接地電位に保たれる。
【００７９】
以上のように、本実施形態によれば、アンテナ８９をアンテナ配置部８２に配置することによってそのアンテナ８９が張出片８２３により仮止めされ、前枠２２を取り付けることによってその張出片８２３を介してアンテナ８９が支持板６０のアンテナ接地面６００に確実に押し当てられる。本実施形態によれば、このような簡易な構造で汎用品のアンテナ８９を容易に組立て、取外しでき、かつ組立後には支持板６０と基部８９１との確実な接触によりアンテナ性能が維持される。
（メイン基板と光ディスクユニットとの間の着脱構造）
図２８は、ＰＣ本体の背面カバーを外し、その背面を、光ディスクユニット側から斜めに見て示した斜視図である。
【００８０】
この光ディスクユニット５０は、ベース板５１と、平板状の電子部品である光ディスクドライブ５２と、その光ディスクドライブ５２を保持するホルダ５３と、回路基板５４とを備えている。光ディスクドライブ５２は、ＣＤやＤＶＤなどの光ディスクが取出し自在に装填され装填された光ディスクをアクセスする電子部品である。光ディスクドライブ５２は、ホルダ５３に保持された状態でベース板５１に支持されており、また、回路基板５４は、ベース板５１に固定されている。ここで、ベース板５１は、光ディスクドライブ５２を支持する領域では、この図２８上、光ディスクドライブ５２の下に広がっており、光ディスクドライブ５２と回路基板５４との間を通って立ち上がり、回路基板５４を固定する領域では、この図２８上、回路基板５４上に広がっている。
【００８１】
また、この光ディスクユニット５０の全体は、支持板６０の上に搭載されている。
【００８２】
この図２８には、光ディスクユニット５０の奥側に広がるメイン基板３０や、そのメイン基板３０上に配置されたＨＤＤユニット４０も示されている。
【００８３】
図２９は、光ディスクユニット５０を少しだけスライドさせた状態を示した図である。
【００８４】
光ディスクユニット５０は、支持板６０に対しスライドする構造になっており（詳細は後述する）、ここでは、図４に示す装着状態から光ディスクユニット５０の全体が矢印Ｚ１方向にスライドし、さらに、その光ディスクユニット５０を構成するホルダ５３が、ベース板５１に対しさらにＺ２方向にスライドした状態が示されている。
【００８５】
このように、この光ディスクユニット５０は、その光ディスクユニット５０全体が一体化されたモジュールのまま、支持板６０に対しスライドし、さらに、光ディスクユニット５０を構成する、光ディスクドライブ５２を保持したホルダ５３が、ベース板５１に対しスライドするという、二重のスライド構造となっている。
【００８６】
この図２９には、光ディスクユニット５０のスライドにより、メイン基板３０に備えられたコネクタ３０３（図４を合わせて参照）があらわれており、また、ホルダ５３のスライドにより、回路基板５４に備えられたコネクタ５１もあらわれている。
【００８７】
メイン基板３０に備えられたコネクタ３０３は、回路基板５４の、図２９から見たときの裏面に備えられたコネクタ５４２（図３１参照）と組み合うコネクタであり、図２９にあらわれた、回路基板５４に備えられたコネクタ５４１は、光ディスクドライブ５２に備えられたコネクタ（図示せず）と組み合うコネクタである。
【００８８】
図３０は、光ディスクユニットを取り外した後の支持板を示した図、図３１は、光ディスクユニットの、支持板と接する側の面を示した図である。
【００８９】
図３０に示すように、支持板６０には、光ディスクユニット５０のベース板５１を係止するための係止穴６５１と、係止後の光ディスクユニット５０の係止が不用意に外れないようにするためのロック片６５２と、光ディスクユニット５０のスライドを案内する案内突起６５３が設けられている。ロック片６５２は片持ち梁形状を有し、中央部にロック爪６５２ａが設けられている。
【００９０】
また、光ディスクユニット５０を構成するベース板５１には、その裏面に、図３１に示すように、図３０に示す係止穴６５１に入り込む係合突起５１１と、ロック爪６５２ａに係止される係止突起５１２が設けられている。光ディスクユニット５０を支持板６０に装着するにあたっては、光ディスクユニット５０を、ベース板６１の裏面の係合突起５１１が支持板６０の係止穴６５１の幅の広い部分に合わせて支持板６０上に置く。このとき、ベース板５１は、案内突起６５３に接しその案内突起６５３によりスライドが案内される。この状態で光ディスクユニット５０を支持板６０上でメイン基板３０側にスライドさせると、ベース板５２の裏面の係合突起５１１が、支持板６０の係止穴６５１の幅の狭い部分に移動してベース板５１が支持板６０上に固定される。またこのとき、ベース板５１の裏面のロック用の突起５１２が支持板６０上のロック爪６５２ａを乗り越え、逆方向へのスライドがロックされる。さらにこのとき、光ディスクユニット５０を構成する回路基板５４の裏面に搭載されているコネクタ５４２が、メイン基板３０に固定されているコネクタ３０３に組み合う。
【００９１】
光ディスクユニット５０を取り外すときは、細い棒状のものをベース板５１の下に差し込んでロック片６５２を押し、ベース板５１の下面のロック用の突起５１２と支持板６０に設けられたロック爪６５２ａとの係合を外し、そのまま、光ディスクユニット５０をメイン基板３０から離れる方向にスライドさせる。すると、ベース板５１の裏面の係合突起５１１が支持板６０に設けられた係止穴６５１の幅広の部分に移動し、その状態で光ディスクユニット５０を持ち上げることにより光ディスクユニット５０を支持板６０から取り外すことができる。
【００９２】
このように、本実施形態のＰＣ本体は、表示パネル２１の背面に広がる支持板６０に固定されたメイン基板３０と、その同じ支持板６０に支持された光ディスクユニット５０とを備え、光ディスクユニット５０が支持板６０に対しスライドすることによりその支持板６０に係止され、あるいは逆方向にスライドすることによりその係止が解除され、スライドにより係止されたときに、メイン基板３０のコネクタ３０３と光ディスクユニット５０を構成する回路基板５４のコネクタ５４２とが組み合い、逆方向へのスライドにより係止が解除されたときにそれらのコネクタ３０３，５４２の結合も解除される。この構造により、光ディスクユニット５０の支持板６０への組立て、分解が容易であるとともに、メイン基板３０についても、光ディスクユニット５０との結合、分離が容易であることから支持板６０上への組込みおよび取外しが容易となる。
【００９３】
図３２は、光ディスクユニット５０のベース板５１を支持板６０上に残したまま、ホルダ５３を取り外した状態を示す分解斜視図である。
【００９４】
ベース板５１の一方の側面５１ａには、係止片５１１を有する。一方、ホルダ５３には、一方の側面５３ａに係止膨部５３１が形成されている。
【００９５】
このホルダ５３は、ベース板５１の側壁５１ａおよび壁面５１ｂに案内されてメイン基板３０に接離する方向にスライドし、メイン基板３０に接近する方向にスライドするとホルダ５３の側面の係止膨部５３１がベース板５０の側面５１ａに形成された係止片５１１に係合して固定される。
【００９６】
また、このメイン基板３０側へのスライドにより、回路基板５４に備えられたコネクタ５４１と、光ディスクドライブ５２に備えられた、図示しないコネクタとが結合する。
【００９７】
図３３は、ホルダに保持された状態の光ディスクドライブを示した図、図３４は、ホルダと、そのホルダから外した状態の光ディスクドライブとを並べて示した図である。
【００９８】
ホルダ５３には、光ディスクドライブ５２が置かれるメイン部材５３４と、そのメイン部材５３４に対しスライドして光ディスクドライブ５２の一方の側面を押さえるスライド板５３５とを有し、図３４に示すように、スライド板５３５を広げた状態で光ディスクユニット５２がホルダ５３に乗せられ、図３３に示すようにそのスライド板５３５が狭められ、これにより、光ディスクユニット５２がホルダ５３に保持される。
【図面の簡単な説明】
【００９９】
【図１】パーソナルコンピュータ（ＰＣ）の外観斜視図である。
【図２】図１に示すＰＣの背面側を見た外観斜視図である。
【図３】ＰＣ本体背面の吸気口の部分を示した断面斜視図である。
【図４】図１，図２に示すＰＣ本体の、背面カバーを取り外してその内部の構成を示した図である。
【図５】単体のハードディスクドライブ（ＨＤＤ）と、そのＨＤＤを保存するホルダを示した斜視図である。
【図６】ホルダの開口にＨＤＤを配置した状態を示した図である。
【図７】ホルダの２つの突起および２つの穴のうちの一方の組合せの部分を示す図である。
【図８】ホルダの２つの突起および２つの穴のうちの一方の組合せの部分を示す図である。
【図９】固定金具の斜視図である。
【図１０】固定金具がメイン基板上に固定された状態を示す図である。
【図１１】ＨＤＤを保持したホルダが固定金具上に置かれた状態を示す図である。
【図１２】ＰＣ本体の背面カバーを外し、その平面を斜め下から見て示した斜視図である。
【図１３】図１２に示す状態からいくつかの部品を取り外して示した図１２と同様の斜視図である。
【図１４】支持板を表示パネル背面から取り外して、支持板と表示パネル（背面）を並べて示した斜視図である。
【図１５】一方の固定金具の部分を示した斜視図である。
【図１６】一方の固定金具の下端部分を示した平面図である。
【図１７】固定金具の上に支持板が乗ったときの、係止部の部分を示す図である。
【図１８】図１７に示す状態から支持板が下にスライドした状態を示す図である。
【図１９】支持板を固定金具に乗せたときの状態を示す図である。
【図２０】支持板を固定金具に対し下方にスライドさせた後の状態を示す図である。
【図２１】ＰＣ本体の背面カバーを外し、その背面を斜め上から見て示した斜視図である。
【図２２】図２１の部分拡大図である。
【図２３】３箇所のアンテナ配置部のうちの１箇所を示した斜視図である。
【図２４】アンテナ配置部にアンテナが配置された状態を示した斜視図である。
【図２５】アンテナが配置された、もう１箇所のアンテナ配置部を示した斜視図である。
【図２６】アンテナが配置されたアンテナ配置部と前枠を示す図である。
【図２７】アンテナが配置されたアンテナ配置部と前枠を示す図である。
【図２８】ＰＣ本体の背面カバーを外し、その背面を、光ディスクユニット側から斜めに見て示した斜視図である。
【図２９】光ディスクユニットを少しだけスライドさせた状態を示した図である。
【図３０】光ディスクユニットを取り外した後の支持板を示した図である。
【図３１】光ディスクユニットの、支持板と接する側の面を示した図である。
【図３２】光ディスクユニットのベース板を支持板上に残したまま、ホルダを取り外した状態を示す分解斜視図である。
【図３３】ホルダに保持された状態の光ディスクドライブを示した図である。
【図３４】ホルダと、そのホルダから外した状態の光ディスクドライブとを並べて示した図である。
【符号の説明】
【０１００】
１０    ＰＣ
２０    ＰＣ本体
２１ａ    表示画面
２１    表示パネル
２２    前枠
２２ａ    アイコン
２３    吸気口
２４    排気口
２５    吸気室
２６    シールド板
２７    ファン
２８    放熱フィン
２９    後カバー
３０    メイン基板
３１    基板コネクタ
４０    ＨＤＤユニット
４１    ＨＤＤ
４２，５３    ホルダ
４２ａ    開口
４３，７０    固定金具
４３ａ    開口
５０    光ディスクユニット
５１    ベース板
５２    光ディスクドライブ
５４    回路基板
６０    支持板
６１    支持板下面
６２    支持板上面
６３    取付金具
７１    締結部
７２    係止突起
８０    フレーム
８２    アンテナ配置部
８３，４１２    係合穴
８９    アンテナ
９０    回転台
９１    支持機構
２２３    係止爪
２６２    空気吸入口
３０２    ＣＰＵ
３０３    コネクタ
４１１    ＨＤＤコネクタ
４３１    案内レール
４３３    固定舌片
４４１    絶縁シート
５１１    係合突起
５４１，５４２    コネクタ
６００    アンテナ接地面
６０３，６２３    露出部分
６５１    係止穴
６５２    ロック片
６５２ａ    ロック爪
６５３    案内突起
８２１    開口
８２３    張出片
８９１    基部
８９２    送受信部
【図１】
0004930448.tif 000002
【図２】
0004930448.tif 000003
【図３】
0004930448.tif 000004
【図４】
0004930448.tif 000005
【図５】
0004930448.tif 000006
【図６】
0004930448.tif 000007
【図７】
0004930448.tif 000008
【図８】
0004930448.tif 000009
【図９】
0004930448.tif 000010
【図１０】
0004930448.tif 000011
【図１１】
0004930448.tif 000012
【図１２】
0004930448.tif 000013
【図１３】
0004930448.tif 000014
【図１４】
0004930448.tif 000015
【図１５】
0004930448.tif 000016
【図１６】
0004930448.tif 000017
【図１７】
0004930448.tif 000018
【図１８】
0004930448.tif 000019
【図１９】
0004930448.tif 000020
【図２０】
0004930448.tif 000021
【図２１】
0004930448.tif 000022
【図２２】
0004930448.tif 000023
【図２３】
0004930448.tif 000024
【図２４】
0004930448.tif 000025
【図２５】
0004930448.tif 000026
【図２６】
0004930448.tif 000027
【図２７】
0004930448.tif 000028
【図２８】
0004930448.tif 000029
【図２９】
0004930448.tif 000030
【図３０】
0004930448.tif 000031
【図３１】
0004930448.tif 000032
【図３２】
0004930448.tif 000033
【図３３】
0004930448.tif 000034
【図３４】
0004930448.tif 000035